(57)【要約】【課題】インターネットに接続できる携帯電話機からエステサロンのサービス予約を行うとき、予約者の信用度審査と入会登録が即時にでき、そして、予約登録、予約情報のチェックなどが随時できる、携帯電話機を利用したエステサロン予約システム，方法およびプログラムを提供する。【解決手段】エステサロン端末４０において、サービス予約情報を常に更新しておく。予約者が携帯電話機１０で公衆無線通信網２０、及びそれにつながるインターネット３０を介して、エステサロン端末４０に接続する。そして、エステサロン端末４０は、ユーザ信用度審査処理を行うため、インターネット３０を介して、ユーザ信用度を審査できる金融機関端末５０に接続する。【選択図】      図１
2004192211.tif 000002
【特許請求の範囲】
【請求項１】
公衆無線通信網を介してインターネットに接続する携帯電話機とインターネットに接続するエステサロン端末および金融機関端末とを含む携帯電話機を利用したエステサロン予約システムであって、
前記携帯電話機は、
会員でない場合に信用度審査用データを入力して前記エステサロン端末に送信する手段と、
前記エステサロン端末から信用度審査結果を受信し前記信用度審査結果がＯＫの場合に前記エステサロン端末に対して会員登録および予約を行う手段とを備え、前記エステサロン端末は、
予約申込を行う前記携帯電話機が会員でない場合に前記携帯電話機から信用度審査用データを受信して前記金融機関端末に送信する手段と、
前記金融機関端末から受信した信用度審査結果を処理する手段と、
前記処理した信用度審査結果を前記携帯電話機に送信する手段と、
前記信用度審査結果がＯＫの場合に前記携帯電話機から会員登録および予約を受け付ける手段とを備え、
前記金融機関端末は、
前記エステサロン端末から信用度審査用データを受信して信用度審査処理を行う手段と、
前記信用度審査処理の結果を前記エステサロン端末に送信する手段とを備える、ことを特徴とする携帯電話機を利用したエステサロン予約システム。
【請求項２】
前記エステサロン端末は、
前記携帯電話機から予約を受け付けたときに前記携帯電話機に対して予約確認通知を発信する手段を備えることを特徴とする請求項１記載の携帯電話機を利用したエステサロン予約システム。
【請求項３】
前記携帯電話機が入力する前記信用度審査用データは、前記携帯電話機所持者の個人情報（個人金融機関情報を含む）を含んで成ることを特徴とする請求項１記載の携帯電話機を利用したエステサロン予約システム。
【請求項４】
前記エステサロン端末は、
エステサロン技術者データの登録および前記携帯電話機からのアクセスに応じてエステサロン技術者データの提供を行うエステサロン技術者データ管理・蓄積手段を備えることを特徴とする請求項１記載の携帯電話機を利用したエステサロン予約システム。
【請求項５】
公衆無線通信網を介してインターネットに接続する携帯電話機とインターネットに接続するエステサロン端末および金融機関端末とを含むエステサロン予約システムにおける携帯電話機を利用したエステサロン予約方法であって、
前記携帯電話機の所持者は前記エステサロン端末にアクセスしてサービス予約を行うとき、
前記携帯電話機の所持者がエステサロンの会員ではない場合は、
前記携帯電話機はユーザ信用度確認用データを入力して前記エステサロン端末に送信し、
前記エステサロン端末は前記携帯電話機から送信されたユーザ信用度確認用データを受信して処理し処理した信用度審査依頼用データを前記金融機関端末に送信し、
前記金融機関端末は受信したユーザ信用度審査依頼用データを基にユーザの信用度審査を行い信用度審査処理の結果を前記エステサロン端末に返信し、
前記エステサロン端末は受信した信用度審査結果を処理し処理した信用度審査結果を前記携帯電話機に返信し、
前記携帯電話機は前記エステサロン端末から信用度審査結果を受信し前記信用度審査結果がＯＫの場合に前記エステサロン端末に対して会員登録および予約を行い、
前記エステサロン端末は前記信用度審査結果がＯＫの場合に前記携帯電話機から会員登録および予約を受け付ける、
ことを特徴とする携帯電話機を利用したエステサロン予約方法。
【請求項６】
前記エステサロン端末は、前記携帯電話機から予約を受け付けたときに前記携帯電話機に対して予約確認通知を発信することを特徴とする請求項５記載の携帯電話機を利用したエステサロン予約方法。
【請求項７】
前記携帯電話機が入力する前記ユーザ信用度確認用データは、前記携帯電話機所持者の個人情報（個人金融機関情報を含む）を含んでいることを特徴とする請求項５記載の携帯電話機を利用したエステサロン予約方法。
【請求項８】
前記エステサロン端末は、エステサロン技術者データを登録し、前記携帯電話機からのアクセスに応じてエステサロン技術者データを提供することを特徴とする請求項５記載の携帯電話機を利用したエステサロン予約方法。
【請求項９】
公衆無線通信網を介してインターネットに接続する携帯電話機とインターネットに接続するエステサロン端末および金融機関端末とを含むエステサロン予約システムにおける携帯電話機を利用したエステサロン予約プログラムであって、
コンピュータに、
前記携帯電話機がエステサロンの会員ではない場合にユーザ信用度確認用データを入力して前記エステサロン端末に送信する機能、
前記エステサロン端末が前記携帯電話機から送信されたユーザ信用度確認用データを受信して処理し処理した信用度審査依頼用データを前記金融機関端末に送信する機能、
前記金融機関端末が受信したユーザ信用度審査依頼用データを基にユーザの信用度審査を行い信用度審査処理の結果を前記エステサロン端末に返信する機能、
前記エステサロン端末が受信した信用度審査結果を処理し処理した信用度審査結果を前記携帯電話機に返信する機能、
前記携帯電話機が前記エステサロン端末から信用度審査結果を受信し前記信用度審査結果がＯＫの場合に前記エステサロン端末に対して会員登録および予約を行う機能、
前記エステサロン端末が前記信用度審査結果がＯＫの場合に前記携帯電話機から会員登録および予約を受け付ける機能、
を実現させるための携帯電話機を利用したエステサロン予約プログラム。
【請求項１０】
前記エステサロン端末が前記携帯電話機から予約を受け付けたときに前記携帯電話機に対して予約確認通知を発信する機能を実現させるための請求項９記載の携帯電話機を利用したエステサロン予約プログラム。
【請求項１１】
前記携帯電話機が前記携帯電話機所持者の個人情報（個人金融機関情報を含む）を含んだ前記ユーザ信用度確認用データを入力する機能を実現させるための請求項９記載の携帯電話機を利用したエステサロン予約プログラム。
【請求項１２】
前記エステサロン端末がエステサロン技術者データを登録し前記携帯電話機からのアクセスに応じてエステサロン技術者データを提供する機能を実現させるための請求項９記載の携帯電話機を利用したエステサロン予約プログラム。
【発明の詳細な説明】
【０００１】
【発明の属する技術分野】
本発明は、エステサロン予約システム，方法およびプログラムに関し、特に公衆無線通信網を介してインターネットに接続できる携帯電話機の所持者からエステサロンのサービス予約を行うとき、ユーザの入会時の信用度審査処理及び入会登録手続きが即時にでき、そして、予約登録を行った後、エステサロン端末に予約情報を格納し、ユーザが携帯電話機で随時サービス予約登録情報を確認できる、携帯電話機を利用したエステサロン予約システム，方法およびプログラムに関する。
【０００２】
【従来の技術】
従来のエステサロンのサービス予約システムでは、ユーザが会員ではない場合は、会員になるためのユーザ信用度審査が必要なとき、その手続きが煩雑で、即時に完了できない。例えば、関連証明書を持って、直接に受付窓口で会員申請手続きを取るか、インターネット上で、必要な会員申請用関連情報を記入し、申請の審査結果の返事を待つことなる。
【０００３】
また、ユーザが会員の場合は、サービス予約を取りたいときにも、電話で受付係員を介して予約をとるか、エステサロン側がパーソナルコンピュータに予約登録システムを構築し、ユーザ側がインターネットを介して予約を行う。
【０００４】
特許文献１には、サービス予約受付に際して、予約済のスケジュール、使用設備の空き状況、技術者の稼動状況、予約状況などをオンラインで表示出力すると共に、顧客に受付データなどを送付できるエステ予約システムが開示されている。
【０００５】
【特許文献１】
特開２０００−２６８１０２号公報
【０００６】
【発明が解決しようとする課題】
しかしながら、上述した従来の予約システムでは、以下のような問題点があった。
【０００７】
すなわち、ユーザが会員ではない場合は、ユーザ信用度審査の手続きで時間がかかりすぎて、当日のサービスが即時に受けられない状況になる可能性があるということである。
【０００８】
また、ユーザが会員の場合は、予約を行うとき、パーソナルコンピュータが設置された場所に行くか、携帯電話機にくらべ重いノート型パソコン等を持ち歩く必要があった。
【０００９】
そこで、本発明は、上述した従来の問題点を解消すべく、随時インターネットに接続できるユーザの携帯電話機によりエステサロンのサービス予約を行い、エステサロン端末に予約情報を格納し、予約者がいつでも、どこでも、予約登録情報を確認できる、携帯電話機を利用したエステサロン予約システム，方法およびプログラムを提供することを目的とする。
【００１０】
また、予約者が会員ではない場合のユーザ信用度審査において、面倒な手続きの必要がなく、インターネットを介して、即時にユーザ信用度を審査できる、携帯電話機を利用したエステサロン予約システム，方法およびプログラムを提供することを目的とする。
【００１１】
【課題を解決するための手段】
本願第１の発明の携帯電話機を利用したエステサロン予約システムは、公衆無線通信網を介してインターネットに接続する携帯電話機とインターネットに接続するエステサロン端末および金融機関端末とを含む携帯電話機を利用したエステサロン予約システムであって、前記携帯電話機は、会員でない場合に信用度審査用データを入力して前記エステサロン端末に送信する手段と、前記エステサロン端末から信用度審査結果を受信し前記信用度審査結果がＯＫの場合に前記エステサロン端末に対して会員登録および予約を行う手段とを備え、前記エステサロン端末は、予約申込を行う前記携帯電話機が会員でない場合に前記携帯電話機から信用度審査用データを受信して前記金融機関端末に送信する手段と、前記金融機関端末から受信した信用度審査結果を処理する手段と、前記処理した信用度審査結果を前記携帯電話機に送信する手段と、前記信用度審査結果がＯＫの場合に前記携帯電話機から会員登録および予約を受け付ける手段とを備え、前記金融機関端末は、前記エステサロン端末から信用度審査用データを受信して信用度審査処理を行う手段と、前記信用度審査処理の結果を前記エステサロン端末に送信する手段とを備える。
【００１２】
本願第２の発明の携帯電話機を利用したエステサロン予約システムは、第１の発明において前記エステサロン端末は、前記携帯電話機から予約を受け付けたときに前記携帯電話機に対して予約確認通知を発信する手段を備えることを特徴とする。
【００１３】
本願第３の発明の携帯電話機を利用したエステサロン予約システムは、第１の発明において前記携帯電話機が入力する前記信用度審査用データは、前記携帯電話機所持者の個人情報（個人金融機関情報を含む）を含んで成ることを特徴とする。
【００１４】
本願第４の発明の携帯電話機を利用したエステサロン予約システムは、第１の発明において前記エステサロン端末は、エステサロン技術者データの登録および前記携帯電話機からのアクセスに応じてエステサロン技術者データの提供を行うエステサロン技術者データ管理・蓄積手段を備える。
【００１５】
本願第５の発明の携帯電話機を利用したエステサロン予約方法は、公衆無線通信網を介してインターネットに接続する携帯電話機とインターネットに接続するエステサロン端末および金融機関端末とを含むエステサロン予約システムにおける携帯電話機を利用したエステサロン予約方法であって、前記携帯電話機の所持者は前記エステサロン端末にアクセスしてサービス予約を行うとき、前記携帯電話機の所持者がエステサロンの会員ではない場合は、前記携帯電話機はユーザ信用度確認用データを入力して前記エステサロン端末に送信し、前記エステサロン端末は前記携帯電話機から送信されたユーザ信用度確認用データを受信して処理し処理した信用度審査依頼用データを前記金融機関端末に送信し、前記金融機関端末は受信したユーザ信用度審査依頼用データを基にユーザの信用度審査を行い信用度審査処理の結果を前記エステサロン端末に返信し、前記エステサロン端末は受信した信用度審査結果を処理し処理した信用度審査結果を前記携帯電話機に返信し、前記携帯電話機は前記エステサロン端末から信用度審査結果を受信し前記信用度審査結果がＯＫの場合に前記エステサロン端末に対して会員登録および予約を行い、前記エステサロン端末は前記信用度審査結果がＯＫの場合に前記携帯電話機から会員登録および予約を受け付ける、ことを特徴とする。
【００１６】
本願第６の発明の携帯電話機を利用したエステサロン予約方法は、第５の発明において前記エステサロン端末は、前記携帯電話機から予約を受け付けたときに前記携帯電話機に対して予約確認通知を発信することを特徴とする。
【００１７】
本願第７の発明の携帯電話機を利用したエステサロン予約方法は、第５の発明において前記携帯電話機が入力する前記ユーザ信用度確認用データは、前記携帯電話機所持者の個人情報（個人金融機関情報を含む）を含んでいることを特徴とする。
【００１８】
本願第８の発明の携帯電話機を利用したエステサロン予約方法は、第５の発明において前記エステサロン端末は、エステサロン技術者データを登録し、前記携帯電話機からのアクセスに応じてエステサロン技術者データを提供することを特徴とする。
【００１９】
本願第９の発明の携帯電話機を利用したエステサロン予約プログラムは、公衆無線通信網を介してインターネットに接続する携帯電話機とインターネットに接続するエステサロン端末および金融機関端末とを含むエステサロン予約システムにおける携帯電話機を利用したエステサロン予約プログラムであって、コンピュータに、前記携帯電話機がエステサロンの会員ではない場合にユーザ信用度確認用データを入力して前記エステサロン端末に送信する機能、前記エステサロン端末が前記携帯電話機から送信されたユーザ信用度確認用データを受信して処理し処理した信用度審査依頼用データを前記金融機関端末に送信する機能、前記金融機関端末が受信したユーザ信用度審査依頼用データを基にユーザの信用度審査を行い信用度審査処理の結果を前記エステサロン端末に返信する機能、前記エステサロン端末が受信した信用度審査結果を処理し処理した信用度審査結果を前記携帯電話機に返信する機能、前記携帯電話機が前記エステサロン端末から信用度審査結果を受信し前記信用度審査結果がＯＫの場合に前記エステサロン端末に対して会員登録および予約を行う機能、前記エステサロン端末が前記信用度審査結果がＯＫの場合に前記携帯電話機から会員登録および予約を受け付ける機能、を実現させる。
【００２０】
本願第１０の発明の携帯電話機を利用したエステサロン予約プログラムは、第９の発明において前記エステサロン端末が前記携帯電話機から予約を受け付けたときに前記携帯電話機に対して予約確認通知を発信する機能を実現させる。
【００２１】
本願第１１の発明の携帯電話機を利用したエステサロン予約プログラムは、第９の発明において前記携帯電話機が前記携帯電話機所持者の個人情報（個人金融機関情報を含む）を含んだ前記ユーザ信用度確認用データを入力する機能を実現させる。
【００２２】
本願第１２の発明の携帯電話機を利用したエステサロン予約プログラムは、第９の発明において前記エステサロン端末がエステサロン技術者データを登録し前記携帯電話機からのアクセスに応じてエステサロン技術者データを提供する機能を実現させる。
【００２３】
【発明の実施の形態】
本発明に実施の形態について、図面を参照して詳細に説明する。
【００２４】
図１は、本発明の実施の形態の構成を示す図である。
【００２５】
図１を参照すると、本発明の実施の形態は、携帯電話機１０と、公衆無線通信網２０と、それにつながるインターネット３０と、これに接続されるエステサロン端末４０及び金融機関端末５０と、を備えている。なお、図１において、インターネット３０で図示されている通信網は、インターネット以外の通信網でもよい。
【００２６】
携帯電話機１０は、公衆無線通信網２０を介してインターネット３０に接続する手段を有する携帯電話装置である。そして、携帯電話機１０は、インターネット３０を介してエステサロン端末４０にアクセスし、エステサロン端末４０が開設しているホームページと予約登録などの情報をやり取りし画面に表示する手段を有する。また、携帯電話機１０の所有者が会員でない場合には、会員登録に際しての信用度確認用データを入力してエステサロン端末４０に送信する手段を有する。信用度審査用データには、携帯電話機１０所持者の個人情報（例えば、氏名、生年月日、金融機関情報、クレジットカードの番号など）を含む。
【００２７】
エステサロン端末４０は、ホームページを開設し、携帯電話機１０からのアクセスに応じてサービス予約を登録し予約登録データなどを管理・蓄積するサービス予約処理手段、エステサロン技術者データなどの登録・更新を行い携帯電話機１０からのアクセスに応じてエステサロン技術者データを提供するエステサロン技術者データ管理・蓄積手段を有する。また、携帯電話機１０から予約を受け付けたときに携帯電話機１０に対して予約確認通知（例えば、電子メールなど）を発信する手段を有する。更に、予約者が会員ではない場合のユーザ信用度審査処理において、エステサロン端末４０は、携帯電話機１０から受け取ったユーザ信用度確認用データを信用度審査依頼用データに変更・生成し、そのデータをインターネット３０を介して金融機関端末５０に送信し、金融機関端末５０から信用度審査の結果を受信し、受信した信用度審査の結果を携帯電話機１０に送信する手段を有する。
【００２８】
金融機関端末５０は、登録されたユーザの信用度審査処理機能を持ち、エステサロン端末４０から送信された信用度審査依頼用データを自動的に信用度審査処理を行い、得た結果を即時にエステサロン端末４０に送信する機能を備えている。金融機関端末５０からエステサロン端末４０に送信される信用度審査結果の情報は、携帯電話機１０所持者の信用情報（ＯＫ／ＮＧ）を含む。この「ＯＫ／ＮＧ」はそれぞれ信用度審査結果「良／不良」を意味する。
【００２９】
次に、本発明の実施形態の動作について、図１〜図３を参照して詳細に説明する。
【００３０】
図２は、本発明の実施形態の全体の動作を示すフローチャート図である。
【００３１】
図３は、ユーザ信用度審査処理手順を示すシーケンス図である
図２を参照すると、エステサロンの予約登録などの状況をチェックしたい場合は、いつでも、どこでも、携帯電話機１０を持つユーザが、公衆無線通信網２０を介して、インターネット３０とつながっているエステサロン端末４０にアクセスする（ステップＡ１）。
【００３２】
予約登録などの情報はエステサロンのホームページに表示され、現状の予約登録情報やエステサロンの担当技術者のデータなどを容易にチェックできる（ステップＡ２）。
【００３３】
エステサロンのサービス予約を行う場合は、いつでも、どこでも、携帯電話機１０を持つユーザが、公衆無線通信網２０を介して、インターネット３０とつながっているエステサロン端末４０にアクセスし、ホームページ上の「予約」をクリックする（ステップＡ３）。
【００３４】
そうすると、予約画面に入るための会員認証画面が表示されるので、初めてのユーザで、会員でない場合は（ステップＡ４）、「会員登録」をクリックする（ステップＡ５）。
【００３５】
そうする、とユーザ信用度確認用情報入力が要求され、その情報（例えば、氏名、生年月日、クレジットカードの番号など）を入力する（ステップＡ６）。
【００３６】
そして、図３に示すユーザ信用度審査処理手順に基き、ユーザ信用度審査処理を行う。その詳細は以下のようである。
【００３７】
図３を参照すると、携帯電話機１０に入力されたユーザ信用度確認用データは、公衆無線通信網２０を介して、インターネット３０とつながっているエステサロン端末４０に送信する（ステップＢ１）。
【００３８】
エステサロン端末４０は、ユーザ信用度確認用データを受信する（ステップＢ２）。
【００３９】
そして、そのデータを信用度審査依頼用データに変更し、作成する（ステップＢ３）。
【００４０】
その作成された信用度審査依頼用データをインターネット３０を介して金融機関端末５０に送信する（ステップＢ４）。
【００４１】
金融機関端末５０は、信用度審査依頼用データを受信する（ステップＢ５）。
【００４２】
そして、そのデータに基づいて信用度審査処理を行う（ステップＢ６）。
【００４３】
その処理された信用度審査結果をインターネット３０を介してエステサロン端末４０に送信する（ステップＢ７）。
【００４４】
エステサロン端末４０は、信用度審査結果を受信する（ステップＢ８）。
【００４５】
そして、受信した信用度審査結果の処理を行う（ステップＢ９）。
【００４６】
その処理の結果として、信用度審査結果（ＯＫ／ＮＧ）を携帯電話機１０に送信する（ステップＢ１０）。
【００４７】
携帯電話機１０は、信用度審査結果を受信する（ステップＢ１１）。
【００４８】
その信用度審査結果がＯＫの場合は（ステップＡ７）、携帯電話機１０の表示画面に入会登録画面が表示され、入会登録を行う（ステップＡ８）。
【００４９】
入会登録を完了すれば会員番号、暗証番号が発行される（ステップＡ９）。
【００５０】
そして、すぐ予約したい場合（ステップＡ１０）は、「予約」をクリックする。
【００５１】
ここからは、会員の場合（ステップＡ４）と同じ手順で、会員番号、暗証番号を入力する（ステップＡ１１）。
【００５２】
そして、予約表が表示され、現在の予約状況とエステサロン技術者の担当状況などの情報が表示される。そして、担当技術者の空いている時間を予約登録、または、予約更新し、エステサロンのサービス予約をする（ステップＡ１２）。
【００５３】
また、予約登録が完了後、予約確認通知を希望する場合には（ステップＡ１３）、その後、携帯電話機１０は、エステサロン端末４０からの予約確認通知メールを受信する（ステップＡ１４）。
【００５４】
それによって、自分が予約した内容を確認することができる。
【００５５】
携帯電話機１０を持つ予約者は、予約後、いつでも、どこでも、携帯電話機１０からインターネット３０を介してエステサロン端末４０にアクセスし、エステサロンホームページ上にエステサロンの予約登録情報や担当技術者のデータを確認することができる。
【００５６】
エステサロンのサービス予約を行った後、予定を変更したい場合は、随時携帯電話機１０からインターネット３０を介して、エステサロン端末４０にアクセスし、ホームページ上で予約情報の変更（削除）をすることにより予約をキャンセルすることができる。
【００５７】
このようにして、ユーザの携帯電話機から、いつでも、どこでも、エステサロン技術者情報などを参照して、エステサロンのサービス予約を登録し、また予約登録情報を確認することができる。
【００５８】
また、予約者が会員ではない場合は、面倒な手続きの必要がなく即時にユーザ信用度を審査し、会員登録を行うことができる。
【００５９】
本発明による上述した実施の形態において、携帯電話機を利用したエステサロン予約システムの処理動作を実行するためのプログラム等を、データとしてコンピュータの磁気ディスクや光ディスク等の記録媒体（図示せず）に記録するようにし、記録されたデータを読み出して携帯電話機を利用したエステサロン予約システムを動作させるために用いる。このように、本発明による携帯電話機を利用したエステサロン予約システムを動作させるデータを記録媒体に記録させ、この記録媒体をインストールすることにより携帯電話機を利用したエステサロン予約システムの機能が実現できるようになる。
【００６０】
【発明の効果】
第１の効果は、ユーザは、会員ではない場合でも面倒な入会手続きの必要がなく、手持ちの携帯電話機から、即時に会員になるための入会審査と入会登録の手続きを完了することができ、そして、すぐエステサロンのサービス予約をすることもできることである。
【００６１】
その理由は、エステサロン端末が携帯電話機から受信した信用度審査用データを金融機関端末に送信し、金融機関端末が信用度審査処理を行い信用度審査結果をエステサロン端末に送信するようにしたからである。
【００６２】
第２の効果は、エステサロン側において、人的事務処理ミスの回避および人件費の削減をすることができることである。
【００６３】
その理由は、エステサロン端末にエステサロンのホームページを開設し、携帯電話機からアクセスできるようにしたからである。それにより、携帯電話機からエステサロンの会員になるための入会審査と入会登録の手続きを即時に完了することができる。
【００６４】
第３の効果は、ユーザは、いつでも、どこでも、手持ちの携帯電話機からエステサロン端末にアクセスすることができ、そして、エステサロンの予約登録情報や担当技術者の状況などを確認した上で、エステサロンのサービス予約をすることができることである。
【００６５】
その理由は、エステサロン端末にエステサロンのホームページを開設し、携帯電話機１０からアクセスできるようにしたからである。
【図面の簡単な説明】
【図１】本発明の実施の形態の構成を示す図
【図２】本発明の実施形態の全体の動作を示すフローチャート図
【図３】ユーザ信用度審査処理手順を示すシーケンス図
【符号の説明】
１０    携帯電話機
２０    公衆無線通信網
３０    インターネット
４０    エステサロン端末
５０    金融機関端末
【図１】
2004192211.tif 000003
【図２】
2004192211.tif 000004
【図３】
2004192211.tif 000005